(57)【要約】【課題】スイッチャまでも含めたＣＭバンク装置のチェックを行う。【解決手段】ユーザーズビット挿入回路７はディジタル音声データｂの複数サブフレームのユーザーズビットに、コントローラ９から供給される素材コードを挿入する。ディジタル音声スイッチャ６は光磁気ディスク装置３，４から読み出されたディジタル音声データの一つを出力する。ユーザーズビット検出回路８はこのディジタル音声データ中の素材コードを検出してコントローラ９へ出力し、コントローラから素材コードの一致の通知を受けると該ディジタル音声データｄを送出する。コントローラは、ＣＭ素材データ収録時にはファイリングデータｇ中の素材コードを抽出し、ＣＭデータ送出時にはＯＡデータｈ中の素材コードとユーザーズビット検出回路からの素材コードとを照合し、照合の結果が一致なら通知、不一致なら外部へのアラームｆをそれぞれ出力する。【選択図】        図１
2005032345.tif 000002
【特許請求の範囲】
【請求項１】
テレビジョン放送のコマーシャルメッセージの素材データを管理・送出するＣＭバンク装置において、
前記コマーシャルメッセージの素材データ収録時には、ＡＥＳ／ＥＢＵ方式によるディジタル音声データの複数サブフレームのユーザーズビットにファイリングデータ中の素材コードを挿入して記録媒体に記録しておき、前記コマーシャルメッセージデータ送出時には、前記記録媒体から読み出されたディジタル音声データ中の素材コードと、オンエアデータ中の素材コードとを照合することを特徴とするＣＭバンク装置。
【請求項２】
テレビジョン放送のＣＭ素材データを管理・送出するＣＭバンク装置において、
装置全体を制御するとともにＣＭ素材データ収録時にはファイリングデータ中の素材コードを抽出するコントローラと、
ＣＭ素材データ収録時には前記ＣＭ素材データを構成するディジタル映像データを光磁気ディスク装置ヘ分配する映像データ分配回路と、
ＣＭ素材データ収録時には前記ＣＭ素材データを構成するＡＥＳ／ＥＢＵ方式によるディジタル音声データの複数サブフレームのユーザーズビットに前記コントローラから供給される素材コードを挿入するユーザーズビット挿入回路と、
前記素材コードが挿入されたディジタル音声データを光磁気ディスク装置ヘ分配する音声データ分配回路と、
それぞれが前記映像データ分配回路からのディジタル映像データおよび前記音声データ分配回路からのディジタル音声データを記録する光磁気ディスク装置と、
ＣＭデータ送出時に前記光磁気ディスク装置から読み出されたディジタル映像データの一つを送出するディジタル映像スイッチャと、
ＣＭデータ送出時に前記光磁気ディスク装置から読み出されたディジタル音声データの一つを出力するディジタル音声スイッチャと、
前記ディジタル音声スイッチャからのディジタル音声データ中の素材コードを検出して前記コントローラへ出力し、前記コントローラから素材コードの一致の通知を受けると該ディジタル音声データを送出するユーザーズビット検出回路とを有し、
前記コントローラは、ＣＭデータ送出時には、オンエアデータ中の素材コードと前記ユーザーズビット検出回路からの素材コードとを照合し、照合の結果が一致なら前記通知、不一致なら外部へのアラームをそれぞれ出力することを特徴とするＣＭバンク装置。
【発明の詳細な説明】
【０００１】
【発明の属する技術分野】
本発明は、テレビジョン放送のコマーシャルメッセージ（以下、「ＣＭ」と記す）を管理・送出するＣＭバンク装置に関する。
【０００２】
【従来の技術】
この種の従来技術の一つに、画像・音声データを収録する手段と、画像・音声データに対応するテープ情報を記録する手段と、収録されたテープから画像・音声データを取り出す手段と、記録されたテープ情報を取り出す手段と、テープ情報を表示する手段と、テープ情報を利用して送出を制御する手段とを備えた「送出監視システム」が知られている（例えば、特許文献１参照）。
【０００３】
【特許文献１】
特開平６−３２５５４８号公報（第１−３ページ、図１）
【０００４】
【発明が解決しようとする課題】
しかしながら、上述した従来技術では、テープ情報と音声データは別々に記録しているため、映像・音声データを複数の記録媒体に記録しておき、スイッチャで切り替えて送出する装置においては、スイッチャまで含めた装置のチェックをすることができないという問題点がある。
【０００５】
本発明の目的は、スイッチャまでも含めた装置のチェックができるＣＭバンク装置を提供することにある。
【０００６】
【課題を解決するための手段】
本発明のＣＭバンク装置は、テレビジョン放送のＣＭ素材データ収録時には、ＡＥＳ／ＥＢＵ方式によるディジタル音声データの複数サブフレームのユーザーズビットに、ファイリングデータ中の素材コードを挿入して記録媒体に記録しておき、ＣＭデータ送出時には、記録媒体から読み出されたディジタル音声データ中の素材コードと、オンエア（以下、「ＯＡ」と記す）データ中の素材コードとを照合することを特徴とする。
【０００７】
より詳しくは、本発明のＣＭバンク装置は、テレビジョン放送のＣＭ素材データを管理・送出するＣＭバンク装置において、装置全体を制御するとともにＣＭ素材データ収録時にはファイリングデータ（図１のｇ）中の素材コードを抽出するコントローラ（図１の９）と、ＣＭ素材データ収録時にはＣＭ素材データを構成するディジタル映像データ（図１のａ）を光磁気ディスク装置（図１の３，４）ヘ分配する映像データ分配回路（図１の１）と、ＣＭ素材データ収録時にはＣＭ素材データを構成するＡＥＳ／ＥＢＵ方式によるディジタル音声データ（図１のｂ）の複数サブフレームのユーザーズビットにコントローラから供給される素材コードを挿入するユーザーズビット挿入回路（図１の７）と、素材コードが挿入されたディジタル音声データを光磁気ディスク装置ヘ分配する音声データ分配回路（図１の２）と、それぞれが映像データ分配回路からのディジタル映像データおよび音声データ分配回路からのディジタル音声データを記録する光磁気ディスク装置と、ＣＭデータ送出時に光磁気ディスク装置から読み出されたディジタル映像データ（図１のｃ）の一つを送出するディジタル映像スイッチャ（図１の５）と、ＣＭデータ送出時に光磁気ディスク装置から読み出されたディジタル音声データの一つを出力するディジタル音声スイッチャ（図１の６）と、ディジタル音声スイッチャからのディジタル音声データ中の素材コードを検出してコントローラへ出力し、コントローラから素材コードの一致の通知を受けると該ディジタル音声データ（図１のｄ）を送出するユーザーズビット検出回路（図１の８）とを有し、コントローラは、ＣＭデータ送出時には、ＯＡデータ（図１のｈ）中の素材コードとユーザーズビット検出回路からの素材コードとを照合し、照合の結果が一致なら通知、不一致なら外部へのアラーム（図１のｆ）をそれぞれ出力することを特徴とする。
【０００８】
【発明の実施の形態】
図１は本発明のＣＭバンク装置の一実施例を示すブロック図である。このＣＭバンク装置は、映像データ分配回路１と、音声データ分配回路２と、２つの光磁気ディスク装置３，４と、映像データスイッチャ５と、音声データスイッチャ６と、ユーザーズビット挿入回路７と、ユーザーズビット検出回路８と、コントローラ９とで構成されている。
【０００９】
ディジタル映像データａおよびディジタル音声データｂは、外部から入力するＣＭ素材データである。映像データ分配回路１は、ＣＭ素材データ登録時に、コントローラ９による制御の下、ディジタル映像データａを光磁気ディスク装置３または光磁気ディスク装置４に記録する。
【００１０】
一方、ディジタル音声データｂにはユーザーズビット挿入回路７によって素材コードが挿入される。この素材コードはコントローラ９から供給される。音声データ分配回路２は、コントローラ９による制御の下、素材コード挿入後のディジタル音声データを光磁気ディスク装置３または光磁気ディスク装置４に記録する。
【００１１】
光磁気ディスク装置３は、コントローラ９による制御の下、映像データ分配回路１から分配されるディジタル映像データと、音声データ分配回路２から分配されるディジタル音声データとを記録する。光磁気ディスク装置４も同様である。
【００１２】
映像データスイッチャ５は、コントローラの制御の下、光磁気ディスク装置３または光磁気ディスク装置４が記録しているディジタル映像データをディジタル映像データｃとして出力する。また、音声データスイッチャ６、コントローラの制御の下、光磁気ディスク装置３または光磁気ディスク装置４が記録しているディジタル音声データをユーザーズビット検出回路８へ出力する。
【００１３】
ユーザーズビット検出回路８は、ディジタル音声データのユーザーズビットに記録されている素材コードを読み取り、コントローラ９へ出力する。コントローラ９から素材コードの一致の通知を受けると、ディジタル音声データｄを外部へ送出する。
【００１４】
コントローラ９は、ＣＭ素材データ収録時には、ファイリングデータｇから素材データを抽出して前記ユーザーズビット挿入回路へ供給する。また、ＣＭデータ送出時には、ユーザーズビット検出回路８からの素材データと、ＯＡデータｈ中の素材コードとを照合する。その結果、一致すればユーザーズビット検出回路８ヘ通知する。一方、不一致ならコントローラ９はアラームｆを外部へ出力する。コントローラ９は、勿論、本ＣＭバンク装置全体の制御も行う。
【００１５】
図２はディジタル音声データｂのサブフレームのフォーマットを示している。図２に示されるように、ディジタル音声データｂのサブフレーム毎に１ビットのユーザーズビットが割り当てられている。
【００１６】
図３は、素材コードを構成するサブフレームフォーマットと、ディジタル音声データｂのフレームフォーマットとの関係を示している。素材コードは、図３に示すように８文字で構成され、１文字は８桁構成である。したがって、このような素材コードを構成するために、ディジタル音声データｂの６４個のサブフレームを必要とする。すなわち、６４個のサブフレームそれぞれのユーザーズビット１ビットが素材コードの構成のために充当される。
【００１７】
図４は、ファイリングデータｇを例示する。図４を参照すると、ファイリングデータｇは、ＣＭアドレスと素材コードとスポンサー名とを含んでいる。素材コードは８文字構成であることが分かる。ＣＭアドレスは光磁気ディスク装置３または光磁気ディスク装置４の書込みアドレスとなる。
【００１８】
図５はＯＡデータｈを例示する。図５を参照すると、ＯＡデータｈはＣＭアドレスと素材コードとスポンサー名とを含んでいる。ＣＭアドレスは光磁気ディスク装置３または光磁気ディスク装置４の読出しアドレスとなる。
【００１９】
ＣＭ素材データを収録する場合、コントローラ９はファイリングデータｇに基づいて制御を行う。ディジタル映像データａは、コントローラ９による制御に基づき、映像データ分配回路１によって光磁気ディスク装置３または光磁気ディスク装置４に記録される。
【００２０】
一方、コントローラ９は、ファイリングデータｇから素材コードを抽出してユーザーズビット挿入回路７に出力し、ディジタル音声データｂのサブフレーム６４個のユーザーズビットから成る素材コードのサブフレームに挿入させるよう制御する。素材コードが挿入されたディジタル音声データは、コントローラ９による制御に基づき、音声データ分配回路２によって光磁気ディスク装置３または光磁気ディスク装置４に記録される。
【００２１】
ＣＭ素材データを送出する場合、コントローラ９はＯＡデータｈに基づき、送出再生スタート信号ｅによって制御を行う。ディジタル映像データは光磁気ディスク装置３または光磁気ディスク装置４から読み出され、映像データスイッチャ５を経由してディジタル映像データｃとして外部へ出力される。
【００２２】
ディジタル音声データは光磁気ディスク装置３または光磁気ディスク装置４から読み出され、音声データスイッチャ６を経由してユーザーズビット検出回路６へ入力する。ユーザーズビット検出回路６はディジタル音声データ中の素材データをコントローラ９へ出力する。
【００２３】
コントローラ９は、ユーザーズビット検出回路６からの素材データと、ＯＡデータｈに含まれている素材コードとを照合する。その結果、一致すると、ユーザーズビット検出回路へ通知する。ユーザーズビット検出回路６はディジタル音声データｄを外部へ送出する。一方、素材コードの照合の結果、不一致ならコントローラ９はアラームｆを外部へ出力する。
【００２４】
【発明の効果】
本発明によれば、素材コードをディジタル音声データのフレームに組み込んで光磁気ディスクに記録しておき、読出し時にＯＡデータに含まれている素材コードと照合することとしたため、スイッチャまでも含めたＣＭバンク装置のチェックができるようになる。
【図面の簡単な説明】
【図１】本発明のＣＭバンク装置の一実施例を示すブロック図
【図２】ディジタル音声データｂのサブフレームのフォーマットを示す図
【図３】素材コードを構成するサブフレームフォーマットと、ディジタル音声データｂのフレームフォーマットとの関係を示す図
【図４】ファイリングデータｇを例示する図
【図５】ＯＡデータｈを例示する
【符号の説明】
１      映像データ分配回路
２      音声データ分配回路
３      光磁気ディスク装置
４      光磁気ディスク装置
５      映像データスイッチャ
６      音声データスイッチャ
７      ユーザーズビット挿入回路
８      ユーザーズビット検出回路
９      コントローラ
【図１】
2005032345.tif 000003
【図２】
2005032345.tif 000004
【図３】
2005032345.tif 000005
【図４】
2005032345.tif 000006
【図５】
2005032345.tif 000007